(57)【要約】【課題】プリンタドライバにユーザＩＤおよびパスワードを予め設定しておかなくとも認証を用いたセキュリティ性のある印刷を行うことを可能とする。【解決手段】【請求項１】クライアント端末２は、ログイン成功時に、ドメインコントローラ３からＴＧＴを取得するＴＧＴ取得部２１Ａと、印刷装置４における印刷処理を実行する場合に、ＴＧＴを用いてドメインで管理されるリソースへのアクセス許可を得るためのＳＴを取得するＳＴ取得部２１Ｂと、ＳＴ取得部２１Ｂで取得したＳＴと印刷ジョブとを合わせた印刷ジョブを生成するＳＴ／印刷ジョブ結合部２１３と、ＳＴ／印刷ジョブ結合部２１３で生成された印刷ジョブを印刷装置４に送信する印刷ジョブ送信部２１４と、を有する。【選択図】図３
2012194773.tif 000002
【特許請求の範囲】
【請求項１】
ドメインを管理するサーバ装置と、前記ドメインに属するクライアント端末と、印刷装置とがネットワークを介して接続される印刷システムであって、
前記クライアント端末は、
ログイン成功時に、前記サーバ装置から認証情報を取得する第１の取得手段と、
前記印刷装置における印刷処理を実行する場合に、前記認証情報を用いて前記ドメインで管理されるリソースへのアクセス許可を得るための許可情報を取得する第２の取得手段と、
前記第２の取得手段で取得した許可情報と前記印刷処理に係る印刷ジョブとを合わせた情報を生成する結合手段と、
前記結合手段で生成された情報を前記印刷装置に送信する送信手段と、
を有し、
前記印刷装置は、
前記送信手段で送信された情報を受信する受信手段と、
前記受信手段で受信した情報から前記許可情報と印刷ジョブとを分離する分離手段と、
前記分離手段で分離された前記許可情報で前記サーバ装置にアクセスして認証を行う認証手段と、
前記認証手段の認証に成功した場合に、前記印刷ジョブの印刷を実行する印刷手段と、
を有する印刷システム。
【請求項２】
前記認証情報は、前記クライアント端末が前記ドメインにログオンした際に、前記サーバ装置が前記クライアント端末に発行するＴＧＴ（Ｔｉｃｋｅｔ  Ｇｒａｎｔｉｎｇ  Ｔｉｃｋｅｔ）であり、
前記許可情報は、前記ＴＧＴを発行した前記クライアント端末に対して前記サーバ装置が発行するＳＴ（Ｓｅｒｖｉｃｅ  Ｔｉｃｋｅｔ）である、請求項１に記載の印刷システム。
【請求項３】
サーバ装置で管理されるドメインに属するクライアント端末であって、
ログイン成功時に、前記サーバ装置から認証情報を取得する第１の取得手段と、
前記印刷装置における印刷処理を実行する場合に、前記認証情報を用いて前記ドメインで管理されるリソースへのアクセス許可を得るための許可情報を取得する第２の取得手段と、
前記第２の取得手段で取得した許可情報と前記印刷処理に係る印刷ジョブとを合わせた情報を生成する結合手段と、
前記結合手段で生成された情報を前記印刷装置に送信する送信手段と、
を有するクライアント端末。
【請求項４】
サーバ装置で管理されるドメインに属する印刷装置であって、
クライアント端末から送信された情報を受信する受信手段と、
前記受信手段で受信した情報から、前記ドメインで管理されるリソースへのアクセス許可を得るための許可情報と印刷ジョブとを分離する分離手段と、
前記分離手段で分離された前記許可情報で前記サーバ装置にアクセスして認証を行う認証手段と、
前記認証手段の認証に成功した場合に、前記印刷ジョブの印刷を実行する印刷手段と、
を有する印刷装置。
【請求項５】
サーバ装置で管理されるドメインに属するクライアント端末に実装されるコンピュータを、
ログイン成功時に、前記サーバ装置から認証情報を取得する第１の取得手段と、
前記印刷装置における印刷処理を実行する場合に、前記認証情報を用いて前記ドメインで管理されるリソースへのアクセス許可を得るための許可情報を取得する第２の取得手段と、
前記第２の取得手段で取得した許可情報と前記印刷処理に係る印刷ジョブとを合わせた情報を生成する結合手段と、
前記結合手段で生成された情報を前記印刷装置に送信する送信手段と、
して機能させるプログラム。
【請求項６】
サーバ装置で管理されるドメインに属する印刷装置に実装されるコンピュータを、
クライアント端末から送信された情報を受信する受信手段と、
前記受信手段で受信した情報から、前記ドメインで管理されるリソースへのアクセス許可を得るための許可情報と印刷ジョブとを分離する分離手段と、
前記分離手段で分離された前記許可情報で前記サーバ装置にアクセスして認証を行う認証手段と、
前記認証手段の認証に成功した場合に、前記印刷ジョブの印刷を実行する印刷手段と、
して機能させるプログラム。
【請求項７】
請求項５に記載のプログラムを記憶した記憶媒体。
【請求項８】
請求項６に記載のプログラムを記憶した記憶媒体。
【請求項９】
ドメインを管理するサーバ装置と、前記ドメインに属するクライアント端末と、印刷装置とがネットワークを介して接続される印刷システムで実行される印刷方法であって、
前記クライアント端末は、端末用の制御部を備え、
前記端末用の制御部において実行される、
第１の取得手段が、ログイン成功時に、前記サーバ装置から認証情報を取得する第１の取得ステップと、
第２の取得手段が、前記印刷装置における印刷処理を実行する場合に、前記認証情報を用いて前記ドメインで管理されるリソースへのアクセス許可を得るための許可情報を取得する第２の取得ステップと、
結合手段が、前記第２の取得ステップで取得した許可情報と前記印刷処理に係る印刷ジョブとを合わせた情報を生成する結合ステップと、
送信手段が、前記結合ステップで生成された情報を前記印刷装置に送信する送信ステップと、
を含み、
前記印刷装置は、印刷装置用の制御部を備え、
前記印刷装置用の制御部において実行される、
受信手段が、前記ステップで送信された情報を受信する受信ステップと、
分離手段が、前記受信ステップで受信した情報から前記許可情報と印刷ジョブとを分離する分離ステップと、
認証手段が、前記分離ステップで分離された前記許可情報で前記サーバ装置にアクセスして認証を行う認証ステップと、
印刷手段が、前記認証ステップの認証に成功した場合に、前記印刷ジョブの印刷を実行する印刷ステップと、
を含む印刷方法。
【発明の詳細な説明】
【技術分野】
【０００１】
本発明の実施形態は、印刷システム、クライアント端末、印刷装置、プログラム、記憶媒体および印刷方法に関する。
【背景技術】
【０００２】
従来、クライアント端末のプリンタドライバが、ユーザＩＤおよびパスワードを含む認証情報を付加した印刷ジョブを印刷装置に送信し、印刷装置が、受信した印刷ジョブに付加されたユーザＩＤおよびパスワードを用いて認証を行い、認証に成功した場合にのみ印刷を実行する印刷システムが知られている（特許文献１参照）。
【発明の概要】
【発明が解決しようとする課題】
【０００３】
しかしながら、従来の印刷システムでは、プリンタドライバでユーザＩＤおよびパスワードを予め設定しておく必要があった。
【０００４】
また、従来の印刷システムでは、アクティブディレクトリ（Ａｃｔｉｖｅ  Ｄｉｒｅｃｔｏｒｙ）環境を利用している場合、セキュリティの向上のため、定期的にパスワードを変更することが多く、認証先のパスワードが変更された場合は、プリンタドライバ側のパスワードを同様に変更しなければならないなどの問題があった。
【０００５】
そこで、本発明は、前記従来の課題を解決するものであり、プリンタドライバにユーザＩＤおよびパスワードを予め設定しておかなくとも認証を用いたセキュリティ性のある印刷（画像形成）を行うことが可能な印刷システム、クライアント端末、印刷装置、プログラム、記憶媒体および印刷方法を提供することを目的とする。
【課題を解決するための手段】
【０００６】
前記した課題を解決し、目的を達成するために、本発明の印刷システムは、ドメインを管理するサーバ装置と、前記ドメインに属するクライアント端末と、印刷装置とがネットワークを介して接続される印刷システムであって、前記クライアント端末は、ログイン成功時に、前記サーバ装置から認証情報を取得する第１の取得手段と、前記印刷装置における印刷処理を実行する場合に、前記認証情報を用いて前記ドメインで管理されるリソースへのアクセス許可を得るための許可情報を取得する第２の取得手段と、前記第２の取得手段で取得した許可情報と前記印刷処理に係る印刷ジョブとを合わせた情報を生成する結合手段と、前記結合手段で生成された情報を前記印刷装置に送信する送信手段と、を有し、前記印刷装置は、前記送信手段で送信された情報を受信する受信手段と、前記受信手段で受信した情報から前記許可情報と印刷ジョブとを分離する分離手段と、前記分離手段で分離された前記許可情報で前記サーバ装置にアクセスして認証を行う認証手段と、前記認証手段の認証に成功した場合に、前記印刷ジョブの印刷を実行する印刷手段と、を有する。
【発明の効果】
【０００７】
本発明によれば、プリンタドライバにユーザＩＤおよびパスワードを予め設定しておかなくとも認証を用いたセキュリティ性のある印刷を行うことができる。
【図面の簡単な説明】
【０００８】
【図１】図１は、本実施形態に係る印刷システムの概略構成を示す図である。
【図２】図２は、クライアント端末のハードウェア構成を示すブロック図である。
【図３】図３は、クライアント端末の機能的構成を示すブロック図である。
【図４】図４は、印刷装置のハードウェア構成を示すブロック図である。
【図５】図５は、印刷装置の機能的構成を示すブロック図である。
【図６】図６は、印刷システムにおける装置単位でのシーケンスを示す図である。
【図７】図７は、印刷システムにおける機能単位でのシーケンスを示す図である。
【図８】図８は、印刷システムにおける機能単位でのシーケンスを示す図である。
【発明を実施するための形態】
【０００９】
以下、本発明の実施形態について添付図面を参照して説明する。
【００１０】
図１は、本実施形態に係る印刷システム１の概略構成を示す図である。
【００１１】
図１に示すように、この印刷システム１では、１台以上のクライアント端末２と、１台以上のドメインコントローラ３と、１台以上の印刷装置４とが、ＬＡＮ（Ｌｏｃａｌ  Ａｒｅａ  Ｎｅｔｗｏｒｋ）などのネットワーク５を介して接続されて構成されている。なお、クライアント端末２と印刷装置４は、ドメインコントローラ（Ｄｏｍａｉｎ  Ｃｏｎｔｒｏｌｌｅｒ）３が管理するドメインに所属している。
【００１２】
ここで、クライアント端末２は、ユーザが利用する端末であり、据置型や携帯型のパーソナルコンピュータなどの情報処理装置である。
【００１３】
ドメインコントローラ３は、ログオン認証を行うためのアカウント情報（ドメイン情報）を一括管理するサーバ装置である。また、本実施形態のドメインコントローラ３は、アクティブディレクトリ（Ａｃｔｉｖｅ  Ｄｉｒｅｃｔｏｒｙ）機能を有しており、前記ドメイン情報やハードウェア資源（ネットワーク上に存在するサーバ装置、クライアント端末、印刷装置（プリンタ）など）に階層構造を設けて管理する。
【００１４】
印刷装置４は、クライアント端末２からの印刷ジョブ（印刷する内容（画像データ）および各種印刷機能を示す印刷条件などを含む印刷データ）を受信して印刷（画像形成処理）を実行する印刷装置であり、例えば、プリンタや複合機（ＭＦＰ：Ｍｕｌｔｉ  Ｆｕｎｃｔｉｏｎ  Ｐｅｒｉｐｈｅｒａｌｓ））などで実現される。
【００１５】
図２は、クライアント端末２のハードウェア構成を示すブロック図である。
【００１６】
図２に示すように、このクライアント端末２は、パーソナルコンピュータなどの一般的なコンピュータを利用したハードウェア構成となっており、例えば、制御部２１と、通信Ｉ／Ｆ２２と、Ｉ／Ｏ機器制御部２３とがバスＢ１によって接続されて構成されている。
【００１７】
なお、制御部２１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）などを有して構成されている。
【００１８】
また、制御部２１には、バスＢ１およびＩ／Ｏ機器制御部２３を介して、操作装置（キーボードや、マウスなど）２４、表示装置（液晶ディスプレイなど）２５、外部記憶装置（ハードディスク装置（ＨＤＤ：Ｈａｒｄ  Ｄｉｓｋ  Ｄｒｉｖｅ）など）２６などが接続されている。
【００１９】
即ち、制御部２１は、ＣＰＵがＲＯＭや外部記憶装置２６などに格納される制御プログラムをＲＡＭに展開して実行することにより、Ｉ／Ｏ機器制御部２３を介して接続される各種構成要素の動作を制御するとともに、通信Ｉ／Ｆ２２およびネットワーク５を介して接続されるドメインコントローラ３や印刷装置４との間で各種データを送受信する動作を制御するものである。
【００２０】
図３は、クライアント端末２の機能的構成を示すブロック図である。
【００２１】
図３に示すように、クライアント端末２の制御部２１は、ＣＰＵがＲＯＭなどに格納される所定の制御プログラムをＲＡＭに展開して実行することにより、後述の図３および図４に示す処理手順を実行する、ＴＧＴ取得部２１Ａ、ＳＴ取得部２１Ｂと、プリンタドライバ２１Ｃと、して機能する。
【００２２】
ＴＧＴ取得部２１Ａは、クライアント端末２のログイン時に、ドメインコントローラ３からＴＧＴ（Ｔｉｃｋｅｔ  Ｇｒａｎｔｉｎｇ  Ｔｉｃｋｅｔ）を取得するものである。
【００２３】
なお、ここでいう「ＴＧＴ」とは、チケット許可チケットとも呼ばれ、ユーザがドメインにログオンした際に、ドメインコントローラ３が発行する認証を証明するチケット（認証情報）のことである。また、この「ＴＧＴ」は、クライアント端末２がログインする場合に取得することができるもので、ログインしている間中使い続けることができる、即ち、ログアウトするか有効期間を過ぎるまで有効なものである。
【００２４】
ＳＴ取得部２１Ｂは、後述のＳＴ取得要求部２１１からのＳＴ（Ｓｅｒｖｉｃｅ  Ｔｉｃｋｅｔ）の取得要求があった際にドメインコントローラ３からＳＴを取得するものである。
【００２５】
なお、ここでいう「ＳＴ」とは、サービスチケットとも呼ばれ、ドメインが管理するリソース（サーバ、共有の印刷装置（共有プリンタ）、共有フォルダなど）へのアクセスを行うために、ドメインコントローラ３からクライアント端末２に発行されるチケット（許可情報）のことである。即ち、クライアント端末２では、対象となるリソースにＳＴ（サービスチケット）を提示することでリソースへのアクセス許可を得ることができる。また、クライアント端末２が、ＳＴ（サービスチケット）を取得するには、ＴＧＴ（チケット許可チケット）が必要である。
【００２６】
プリンタドライバ２１Ｃは、ＳＴ取得要求部２１１と、印刷ジョブ生成部２１２と、ＳＴ／印刷ジョブ結合部２１３と、印刷ジョブ送信部２１４を有し、印刷ジョブの生成から送信までに必要な処理を管理するものである。
【００２７】
ＳＴ取得要求部２１１は、ＳＴ取得部２１Ｂに対して、ＳＴの取得を要求するものである。
【００２８】
印刷ジョブ生成部２１２は、各アプリケーションで生成されたデータから印刷ジョブを生成するものである。
【００２９】
ＳＴ／印刷ジョブ結合部２１３は、ＳＴ取得部２１Ｂで取得したＳＴを、印刷ジョブ生成部２１２で生成した印刷ジョブに埋め込む（結合する）ものである。
【００３０】
印刷ジョブ送信部２１４は、ＳＴ／印刷ジョブ結合部２１３で結合した印刷ジョブを印刷装置４に送信するものである。
【００３１】
図４は、印刷装置４のハードウェア構成を示すブロック図である。
【００３２】
図４に示すように、この印刷装置４は、一般的に良く知られているプリンタのハードウェア構成となっており、例えば、制御部４１と、通信Ｉ／Ｆ４２と、Ｉ／Ｏ機器制御部４３とがバスＢ２によって接続されて構成されている。
【００３３】
なお、制御部４１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）などを有して構成されている。
【００３４】
また、制御部４１には、バスＢ２およびＩ／Ｏ機器制御部４３を介して、操作装置（押しボタン式のスイッチなど）４４、表示装置（液晶ディスプレイなど）４５、外部記憶装置（不揮発性メモリなど）４６、エンジン部４７などが接続されている。
【００３５】
即ち、制御部４１は、ＣＰＵがＲＯＭや外部記憶装置４６などに格納される制御プログラムをＲＡＭに展開して実行することにより、Ｉ／Ｏ機器制御部４３を介して接続される各種構成要素の動作を制御するとともに、通信Ｉ／Ｆ４２およびネットワーク５を介して接続されるクライアント端末２やドメインコントローラ３との間で各種データを送受信する動作を制御するものである。
【００３６】
なお、エンジン部４７は、プリンタユニットなどを有しており、そのプリンタユニットにより、通信Ｉ／Ｆ４２を介してクライアント端末２から受信した印刷データに基づき、記録用紙などの媒体に画像を形成（印刷）するプリンタ機能を実現する。
【００３７】
図５は、印刷装置４の機能的構成を示すブロック図である。
【００３８】
図５に示すように、印刷装置４の制御部４１は、ＣＰＵがＲＯＭなどに格納される所定の制御プログラムをＲＡＭに展開して実行することにより、後述の図３および図５に示す処理手順を実行する、コントローラ部４１Ａと、印刷ジョブ受信部４１Ｂと、ＳＴ／印刷ジョブ分離部４１Ｃと、ＳＴ認証部４１Ｄと、印刷部４１Ｅと、して機能する。
【００３９】
コントローラ部４１Ａは、印刷装置４全体の制御を行うものである。
【００４０】
印刷ジョブ受信部４１Ｂは、クライアント端末２から送られてきた印刷ジョブを受信する。
【００４１】
ＳＴ／印刷ジョブ分離部４１Ｃは、印刷ジョブ受信部４１Ｂで受信した印刷ジョブからＳＴを分離するものである。
【００４２】
ＳＴ認証部４１Ｄは、ＳＴ／印刷ジョブ分離部４１Ｃで分離されたＳＴの正当性を確認するため、そのＳＴを用いてＡｃｔｉｖｅ  Ｄｉｒｅｃｔｏｒｙにアクセスするものである。
【００４３】
印刷部４１Ｅは、印刷ジョブ受信部４１Ｂで受信した印刷ジョブに基づいて印刷（画像形成処理）を実行する。
【００４４】
なお、クライアント端末２および印刷装置４は、不図示の電源装置を介して、例えば、商用電源から必要な電力が供給されて動作可能である。また、図２および図４では特に図示していないが、クライアント端末２および印刷装置４は、警告音などの各種音声を出力するためのスピーカなどが実装されている。
【００４５】
次に、前記説明した構成の印刷システム１における処理動作の詳細について図６〜図８を用いて説明する。
【００４６】
図６は、印刷システム１における装置単位でのシーケンスを示す図である。
【００４７】
図６に示すように、まず、ユーザは、ユーザＩＤとパスワードを入力してクライアント端末２にログインを要求する（ステップＳ１）。
【００４８】
すると、クライアント端末２は、自身（自装置）が所属するドメインのドメインコントローラ３に対して認証を行う（ステップＳ２）。この認証の結果、認証に成功した場合（ＯＫ）、ユーザに対してログインを許可する（ステップＳ３）。
【００４９】
その後、クライアント端末２は、ログインに成功すると、ドメインコントローラ３に対してＴＧＴの取得要求を行って（ステップＳ４）、ドメインコントローラ３からＴＧＴを取得する（ステップＳ５）。
【００５０】
続いて、ログインが許可されたユーザは、所定のアプリケーションで生成したデータの印刷を指示する（ステップＳ６）。
【００５１】
すると、クライアント端末２は、前記アプリケーションのデータから印刷ジョブを生成する（ステップＳ７）。続いて、クライアント端末２は、ドメインコントローラ３に対して、Ａｃｔｉｖｅ  Ｄｉｒｅｃｔｏｒｙへアクセスするために必要なＳＴの取得要求を行って（ステップＳ８）、ドメインコントローラ３からＳＴを取得する（ステップＳ９）。
【００５２】
続いて、クライアント端末２では、取得したＳＴを印刷ジョブに埋め込み（ステップＳ１０）、ＳＴを埋め込んだ印刷ジョブを印刷装置４に送信する（ステップＳ１１）。
【００５３】
すると、印刷装置４では、受信した印刷ジョブからＳＴを分離し（ステップＳ１２）、分離されたＳＴを用いて、ドメインコントローラ３のＡｃｔｉｖｅ  Ｄｉｒｅｃｔｏｒｙに対してアクセスする（ステップＳ１３）。
【００５４】
続いて、印刷装置４は、前記アクセスの結果、アクセスに成功した場合（ステップＳ１４）、クライアント端末２から受信した印刷ジョブを実行し、印刷処理を実行する（ステップＳ１５）。
【００５５】
次に、機能ブロック単位での処理手順について説明する。
【００５６】
図７は、ユーザがクライアント端末２に対して印刷を指示して、クライアント端末２から印刷装置４に印刷ジョブが送信されるまでのクライアント端末２の処理の流れを機能ブロック単位で示したシーケンスであり、即ち、図６のステップＳ６〜ステップＳ１１の処理に相当するものである。
【００５７】
図７に示すように、この処理では、クライアント端末２では、まず、プリンタドライバ２１Ｃが、印刷対象であるアプリケーションのデータから印刷ジョブを生成するよう印刷ジョブ生成部２１２に依頼して（ステップＳ１０１）、印刷ジョブ生成部２１２から印刷ジョブを受信する（ステップＳ１０２）。
【００５８】
また、プリンタドライバ２１Ｃは、ＳＴ取得要求部２１１に対してＳＴの取得要求を依頼する（ステップＳ１０３）。
【００５９】
すると、ＳＴ取得要求部２１１が、ＳＴ取得部２１Ｂに対してＳＴの取得を依頼する（ステップＳ１０４）。これにより、ＳＴ取得部２１Ｂが、ドメインコントローラ３に対してＳＴの取得要求を行い（ステップＳ１０５）、ドメインコントローラ３からＳＴを取得する（ステップＳ１０６）。
【００６０】
続いて、ＳＴ取得部２１ＢがＳＴ取得要求部２１１を介してプリンタドライバ２１Ｃに取得したＳＴを受け渡す（ステップＳ１０７）。
【００６１】
その後、プリンタドライバ２１Ｃは、ＳＴ／印刷ジョブ結合部２１３に対して、印刷ジョブ生成部２１２から取得した印刷ジョブに、ＳＴ取得要求部２１１から取得したＳＴを埋め込ませ（ステップＳ１０８）、ＳＴ／印刷ジョブ結合部２１３からＳＴを埋め込んだ印刷ジョブを受信する（ステップＳ１０９）。
【００６２】
その後、プリンタドライバ２１Ｃは、ＳＴが埋め込まれた印刷ジョブを印刷装置４に送信するよう、印刷ジョブ送信部２１４に依頼する（ステップＳ１１０）。
【００６３】
すると、印刷ジョブ送信部２１４が、印刷装置４にＳＴが埋め込まれた印刷ジョブを送信する（ステップＳ１１１）。
【００６４】
図８は、ＳＴが埋め込まれた印刷ジョブを受信してから実際に印刷するまでの印刷装置４の処理の流れを機能ブロック単位で示したシーケンスであり、即ち、図６のステップＳ１１〜ステップＳ１５の処理に相当するものである。
【００６５】
図８に示すように、この処理では、印刷装置４では、まず、印刷ジョブ受信部４１Ｂが、クライアント端末２から、ＳＴが埋め込まれた印刷ジョブを受信すると（ステップＳ２０１）、ＳＴ／印刷ジョブ分離部４１Ｃが印刷ジョブからＳＴを分離する（ステップＳ２０２）。
【００６６】
その後、コントローラ部４１Ａが、印刷ジョブ受信部４１Ｂを介してＳＴ／印刷ジョブ分離部４１Ｃから分離されたＳＴと印刷ジョブを受信する（ステップＳ２０３）。続いて、コントローラ部４１Ａが、分離されたＳＴが正当なものであるか否かをＳＴ認証部４１Ｄに依頼する（ステップＳ２０４）。
【００６７】
すると、ＳＴ認証部４１Ｄが、ＳＴをもとにドメインコントローラ３にアクセスし、ＳＴが正当なものであるか否かの認証要求を行う（ステップＳ２０５）。
【００６８】
その後、コントローラ部４１Ａは、ＳＴ認証部４１Ｄを介して認証結果を受信する（ステップＳ２０６）。
【００６９】
そして、認証結果がＯＫ、即ち、ＳＴが正当なものであった場合、コントローラ部４１Ａは、印刷部４１Ｅに対して印刷の実行を依頼する（ステップＳ２０７）。
【００７０】
すると、印刷部４１Ｅが、印刷ジョブの実行、即ち、印刷を実行する（ステップＳ２０８）。
【００７１】
即ち、以上説明した実施形態によれば、プリンタドライバにユーザＩＤおよびパスワードを予め設定しておかなくとも認証を用いたセキュリティ性のある印刷（画像形成）を行うことができる。
【００７２】
以上、例示的な実施形態に基づいて説明したが、本発明は、前記した実施形態により限定されるものではない。
【００７３】
例えば、前記した実施形態では、ＳＴ／印刷ジョブ結合部２１３が、印刷ジョブにＳＴを埋め込み、ＳＴ／印刷ジョブ分離部４１Ｃが、受信したＳＴが埋め込まれた印刷ジョブから印刷ジョブと、ＳＴとを分離する形態として説明したが、これ以外にも、ＳＴ／印刷ジョブ結合部２１３が、印刷ジョブにＳＴを付加したデータ（情報）を生成し、ＳＴ／印刷ジョブ分離部４１Ｃが、受信した前記データ（情報）から印刷ジョブとＳＴを分離するようにしても良い。
【００７４】
また、前記した実施形態では、ＴＧＴやＳＴなどの認証情報を用いる形態について説明したが、その他の認証情報を適用することも可能である。
【００７５】
また、前記した実施形態では、印刷装置４がプリンタである場合について説明したが、これに限定されず、その他の印刷装置であっても良く、例えば、複合機（ＭＦＰ）などであっても良いものとする。
【００７６】
また、前記した実施形態のクライアント端末２および印刷装置４などで実行されるプログラムは、ＲＯＭなどの記憶部に予め組み込んで提供する以外にも、インストール可能な形式または実行可能な形式のファイルでコンピュータで読み取り可能な記憶媒体に記憶して提供したり、インターネットなどのネットワーク経由で提供または配布したりすることも可能である。
【００７７】
その他、前記した実施形態における印刷システム１およびその各装置のハードウェア構成、ソフトウェア構成および処理手順などは、単なる一例として記載したものであり、本実施形態は、これらにより限定されない。
【符号の説明】
【００７８】
１  印刷システム
２  クライアント端末
３  ドメインコントローラ
４  印刷装置
５  ネットワーク
２１  制御部
２１Ａ  ＴＧＴ取得部（第１の取得部）
２１Ｂ  ＳＴ取得部（第２の取得部）
２１Ｃ  プリンタドライバ
２１１  ＳＴ取得要求部
２１２  印刷ジョブ生成部
２１３  ＳＴ／印刷ジョブ結合部（結合手段）
２１４  印刷ジョブ送信部（送信手段）
４１  制御部
４１Ａ  コントローラ部
４１Ｂ  印刷ジョブ受信部（受信手段）
４１Ｃ  ＳＴ／印刷ジョブ分離部（分離手段）
４１Ｄ  ＳＴ認証部（認証手段）
４１Ｅ  印刷部（印刷手段）
【先行技術文献】
【特許文献】
【００７９】
【特許文献１】特開平１１−３０１０５８号公報
【図１】
2012194773.tif 000003
【図２】
2012194773.tif 000004
【図３】
2012194773.tif 000005
【図４】
2012194773.tif 000006
【図５】
2012194773.tif 000007
【図６】
2012194773.tif 000008
【図７】
2012194773.tif 000009
【図８】
2012194773.tif 000010